(57)【要約】  【解決手段】  シャフトおよび軽質振動吸収材により構成される。シャフトには管周壁と内部空間が設けられ、シャフトの一端はヘッドと結合するのに用いられ、さらにシャフトの他端はグリップと結合するのに用いられる。軽質振動吸収材はシャフトの内部空間の内部に収容され、そして少なくとも部分的に管周壁に貼接するように形成されることにより、軽質振動吸収材によりヘッドから生じ、さらにシャフトまで上へ伝送する打球の振動を吸収および阻隔することができるように構成されている。  【効果】  シャフトは内部空間において適当に軽質振動吸収材を設け、軽質振動吸収材によりヘッドから生じた打球の振動を吸収することができるため、確実に振動吸収の効果と握持の快適感を相対的に増やすことができる。【選択図】    図１
2006223678.tif 000002
【特許請求の範囲】
【請求項１】
シャフト（１０）および軽質振動吸収材（４０）により構成されるゴルフクラブシャフトの振動吸収構造であって、シャフト（１０）には管周壁（１１）と内部空間（１２）が設けられ、シャフト（１０）の一端はヘッド（２０）と結合するのに用いられ、さらにシャフト（１０）の他端はグリップ（３０）と結合するのに用いられ、軽質振動吸収材（４０）はシャフト（１０）の内部空間（１２）の内部に収容され、そして少なくとも部分的に管周壁（１１）に貼接するように形成されることにより、軽質振動吸収材（４０）によりヘッド（３０）から生じ、さらにシャフト（１０）まで上へ伝送する打球の振動を吸収および阻隔することができることを特徴とするゴルフクラブシャフトの振動吸収構造。
【請求項２】
軽質振動吸収材（４０）は発泡合成材料からなることを特徴とする請求項１記載のゴルフクラブシャフトの振動吸収構造。
【請求項３】
軽質振動吸収材（４０）はゴム、熱可塑性弾性体、ポリウレタン、ナイロン、ポリプロピレン、ＡＢＳ樹脂、ポリエチレンテレフタレート、ポリ塩化ビニル、高分子振動吸収材料からなることを特徴とする請求項１記載のゴルフクラブシャフトの振動吸収構造。
【請求項４】
軽質振動吸収材（４０）は射出成型により直接シャフト（１０）の内部空間（１２）の内部に形成されることを特徴とする請求項１記載のゴルフクラブシャフトの振動吸収構造。
【請求項５】
軽質振動吸収材（４０）はシャフト（１０）の全体の内部空間（１２）の内部に形成されることを特徴とする請求項１記載のゴルフクラブシャフトの振動吸収構造。
【請求項６】
軽質振動吸収材（４０）には他に中空部（４１）が形成されることを特徴とする請求項１記載のゴルフクラブシャフトの振動吸収構造。
【請求項７】
軽質振動吸収材（４０）の中空部（４１）には他に軽質振動吸収材（４０’）が収容され、軽質振動吸収材（４０’）は異なる材料からなるのを選択することにより、異なった抵抗の係数による複合振動吸収の効果を提供することを特徴とする請求項６記載のゴルフクラブシャフトの振動吸収構造。
【請求項８】
軽質振動吸収材（４０）の中空部（４１）には他に軽質振動吸収材（４０’）が収容され、軽質振動吸収材（４０’）は異なった緻密度を有する同じ材質によって製成されることにより、異なった抵抗の係数による複合振動吸収の効果を提供することを特徴とする請求項６記載のゴルフクラブシャフトの振動吸収構造。
【請求項９】
軽質振動吸収材（４０）の中空部（４１）の内周壁面には他に複数個の突出点（４１１）が形成されることにより、打球の振動を分散する振動吸収の効果を提供することを特徴とする請求項６記載のゴルフクラブシャフトの振動吸収構造。
【請求項１０】
軽質振動吸収材（４０）の中空部（４１）の内周壁面には他に複数個の凹点が形成されることにより、打球の振動を分散する振動吸収の効果を提供することを特徴とする請求項６記載のゴルフクラブシャフトの振動吸収構造。
【請求項１１】
軽質振動吸収材（４０）の中空部（４１’）の内周壁面には凸凹した変化を有する波紋、ねじ紋が形成されることにより、打球の振動を分散する振動吸収の効果を提供することを特徴とする請求項６記載のゴルフクラブシャフトの振動吸収構造。
【請求項１２】
軽質振動吸収材（４０）は外周壁面において交互に排列して複数個の当接周壁面（４２）と複数個のクッション凹部（４３）が形成され、当接周壁面（４２）はシャフト（１０）の管周壁（１１）に当接すると共に、シャフト（１０）が伝送する打球の振動を吸収するのに用いられ、クッション凹部（４３）は各当接周壁面（４２）を区画するのに用いられることにより、当接周壁面（４２）は多段式の振動吸収の構造に形成されることを特徴とする請求項１記載のゴルフクラブシャフトの振動吸収構造。
【請求項１３】
軽質振動吸収材（４０）は予め柱状の単元体に成型されてから、シャフト（１０）の内部空間（１２）の内部に嵌入し、さらに粘着剤により固定することを特徴とする請求項１記載のゴルフクラブシャフトの振動吸収構造。
【請求項１４】
軽質振動吸収材（４０）の柱状の単元体は少なくともシャフト（１０）におけるヘッド（２０）側に接近する内部空間（１２）の内部に形成されることを特徴とする請求項１３記載のゴルフクラブシャフトの振動吸収構造。
【請求項１５】
多種類の軽質振動吸収材（４０）を使用した柱状の単元体を同時に嵌設することにより、異なった抵抗の係数による複合振動吸収の効果を提供することを特徴とする請求項１３記載のゴルフクラブシャフトの振動吸収構造。
【請求項１６】
軽質振動吸収材（４０）の柱状の単元体はそれぞれ異なる材質により製成されることを特徴とする請求項１５記載のゴルフクラブシャフトの振動吸収構造。
【請求項１７】
軽質振動吸収材（４０）の柱状の単元体はそれぞれ異なった緻密度を有する同じ材質により製成されることを特徴とする請求項１５記載のゴルフクラブシャフトの振動吸収構造。
【請求項１８】
複数個の軽質振動吸収材（４０）を使用した柱状の単元体を同時に嵌設し、さらに各隣接する二個の軽質振動吸収材（４０）の間はそれぞれ区画部材（５０）によって相互に区画されることにより、多段式による複合振動吸収の構造が形成されることを特徴とする請求項１３記載のゴルフクラブシャフトの振動吸収構造。
【請求項１９】
シャフト（１０）および複数個の軽質振動吸収材（４０ａ、４０ｂ、４０ｃ、４０ｄ、４０ｅ）により構成されるゴルフクラブシャフトの振動吸収構造であって、シャフト（１０）には管周壁（１１）と内部空間（１２）が設けられ、軽質振動吸収材（４０ａ、４０ｂ、４０ｃ、４０ｄ、４０ｅ）はシャフト（１０）の内部空間（１２）の内部に収容されることにより、軽質振動吸収材（４０ａ、４０ｂ、４０ｃ、４０ｄ、４０ｅ）によりヘッド（３０）から生じ、さらにシャフト（１０）まで上へ伝送する打球の振動を吸収および阻隔することができることを特徴とするゴルフクラブシャフトの振動吸収構造。
【請求項２０】
複数個の軽質振動吸収材（４０ａ、４０ｂ、４０ｃ、４０ｄ、４０ｅ）の間には相互に一段の距離を有するように区画されることを特徴とする請求項１９記載のゴルフクラブシャフトの振動吸収構造。
【請求項２１】
複数個の軽質振動吸収材（４０ａ、４０ｂ、４０ｃ、４０ｄ、４０ｅ）の間には相互に接触するように形成されることを特徴とする請求項１９記載のゴルフクラブシャフトの振動吸収構造。
【請求項２２】
複数個の軽質振動吸収材（４０ａ、４０ｂ、４０ｃ、４０ｄ、４０ｅ）は粘着剤によりシャフト（１０）の内部空間（１２）の内部に固定されることを特徴とする請求項１９記載のゴルフクラブシャフトの振動吸収構造。
【請求項２３】
軽質振動吸収材（４０ａ、４０ｂ、４０ｃ、４０ｄ、４０ｅ）には他に中空部（４１）が形成されることを特徴とする請求項１９記載のゴルフクラブシャフトの振動吸収構造。
【発明の詳細な説明】
【技術分野】
【０００１】
本発明は、ゴルフクラブシャフトの振動吸収構造に関するもので、特にシャフトの内部に軽質振動吸収材を設置することにより、打球の振動を吸収および阻隔することができるゴルフクラブシャフトの振動吸収構造に係るものである。
【背景技術】
【０００２】
従来のゴルフクラブシャフトの構造としては、図１３に示すように、シャフト１０、ヘッド２０とグリップ３０が含まれる。シャフト１０は長い管状に形成され、シャフト１０の一端はヘッド２０と結合するのに用いられ、さらにシャフト１０の他端はグリップ３０と結合するのに用いられる。シャフト１０は弾性変形の係数（Ｃ.Ｏ.Ｒ）が高い材質により製成され、例えば複数層の炭素繊維含浸織物から巻き付けて重畳してなるように形成されるため、シャフト１０そのものは高度な可撓性を有するように形成される。ヘッド２０はゴルフボールを打球するのに用いられる。グリップ３０は使用者が手で握持するのに用いられるようにようにとしたものがある（例えば、特許文献１、２、３、４を参照）。
【特許文献１】アメリカ特許番号第３，３１３，５４１号
【特許文献２】アメリカ特許番号第４，０２３，８０１号
【特許文献３】アメリカ特許番号第４，１３５，０３５号
【特許文献４】アメリカ特許番号第５，４３７，４５０号
【発明の開示】
【発明が解決しようとする課題】
【０００３】
上記のような従来のゴルフクラブシャフトの構造においては、打球時においてヘッド２０から生じた打球の振動はシャフト１０を経て上へグリップ３０まで伝送するように形成される。打球の振動が上へ伝送する過程において、ヘッド２０、シャフト１０とグリップ３０は順序よく上へ伝送する一部分の打球の振動を吸収するが、もう一部分の吸収されていない打球の振動はグリップ３０を経て使用者の手まで伝送される。その結果、長時間を掛けて打球を行う使用者にとって、手でグリップ３０を握持し、そして打球の振動を受け続けると、手に不快感や痺れが生じ易いだけではなく、打球の正確度に影響が生じてしまい、さらに使用者が手を怪我してしまう場合も有り得る。そのため、上記のような従来のゴルフクラシャフトの構造をさらに改良しなければならない。
【０００４】
本発明はこのような問題点に鑑みて発明したものであって、その目的とするところは、シャフトは内部空間において適当に軽質振動吸収材を設け、軽質振動吸収材によりヘッドから生じた打球の振動を吸収することができるため、確実に振動吸収の効果と握持の快適感を相対的に増やすことができるゴルフクラブシャフトの振動吸収構造を提供しようとするものである。
【０００５】
本発明の第一の目的は、シャフトの内部には少なくとも一個の軽質振動吸収材が適当に設けられることにより、ヘッドから生じた打球の振動を吸収および阻隔することができるため、振動吸収の効果と握持の快適感を増やすことができるゴルフクラブシャフトの振動吸収構造を提供しようとするものである。
【０００６】
本発明の第二の目的は、シャフトの内部には多種類の軽質振動吸収材が設けられることにより、異なる抵抗の係数を提供してヘッドから生じた打球の振動を吸収することができるため、振動吸収の効果と握持の快適感を増やすことができるゴルフクラブシャフトの振動吸収構造を提供しようとするものである。
【０００７】
本発明の第三の目的は、シャフトの内部には一個の軽質振動吸収材が設けられ、軽質振動吸収材には中空部が形成され、中空部の内周壁面には複数個の突出点または複数個の凹点が形成されることにより、ヘッドから生じた打球の振動を吸収および分散することができるため、振動吸収の効果と握持の快適感を増やすことができるゴルフクラブシャフトの振動吸収構造を提供しようとするものである。
【０００８】
本発明の第四の目的は、シャフトの内部には少なくとも一個の軽質振動吸収材が設けられ、軽質振動吸収材には複数個の当接周壁面と複数個のクッション凹部が形成されることにより、多段式の振動吸収の構造が形成されるため、振動吸収の効果と握持の快適感を増やすことができるゴルフクラブシャフトの振動吸収構造を提供しようとするものである。
【０００９】
本発明の第五の目的は、シャフトの内部には複数個の軽質振動吸収材が設けられ、各隣接する二個の軽質振動吸収材の間にはそれぞれ区画部材が挟設されることにより、多段式の振動吸収の構造が形成されるため、振動吸収の効果と握持の快適感を増やすことができるゴルフクラブシャフトの振動吸収構造を提供しようとするものである。
【課題を解決するための手段】
【００１０】
上記目的を達成するために、本発明によるゴルフクラブシャフトの振動吸収構造は、下記のようになるものである。すなわち、
シャフトおよび軽質振動吸収材により構成される。シャフトには管周壁と内部空間が設けられ、シャフトの一端はヘッドと結合するのに用いられ、さらにシャフトの他端はグリップと結合するのに用いられる。軽質振動吸収材はシャフトの内部空間の内部に収容され、そして少なくとも部分的に管周壁に貼接するように形成されることにより、軽質振動吸収材によりヘッドから生じ、さらにシャフトまで上へ伝送する打球の振動を吸収および阻隔することができる。
【００１１】
本発明によるゴルフクラブシャフトの振動吸収構造は、軽質振動吸収材は発泡合成材料からなることもできる。また、軽質振動吸収材はゴム、熱可塑性弾性体、ポリウレタン、ナイロン、ポリプロピレン、ＡＢＳ樹脂、ポリエチレンテレフタレート、ポリ塩化ビニル、高分子振動吸収材料からなることもできる。また、軽質振動吸収材は射出成型により直接シャフトの内部空間の内部に形成されることもできる。また、軽質振動吸収材はシャフトの全体の内部空間の内部に形成されることもできる。また、軽質振動吸収材には他に中空部が形成されることもできる。また、軽質振動吸収材の中空部には他に軽質振動吸収材が収容され、軽質振動吸収材は異なる材料からなるのを選択することにより、異なった抵抗の係数による複合振動吸収の効果を提供することもできる。また、軽質振動吸収材の中空部には他に軽質振動吸収材が収容され、軽質振動吸収材は異なった緻密度を有する同じ材質によって製成されることにより、異なった抵抗の係数による複合振動吸収の効果を提供することもできる。また、軽質振動吸収材の中空部の内周壁面には他に複数個の突出点が形成されることにより、打球の振動を分散する振動吸収の効果を提供することもできる。また、軽質振動吸収材の中空部の内周壁面には他に複数個の凹点が形成されることにより、打球の振動を分散する振動吸収の効果を提供することもできる。また、軽質振動吸収材の中空部の内周壁面には凸凹した変化を有する波紋、ねじ紋が形成されることにより、打球の振動を分散する振動吸収の効果を提供することもできる。また、軽質振動吸収材は外周壁面において交互に排列して複数個の当接周壁面と複数個のクッション凹部が形成され、当接周壁面はシャフトの管周壁に当接すると共に、シャフトが伝送する打球の振動を吸収するのに用いられ、クッション凹部は各当接周壁面を区画するのに用いられることにより、当接周壁面は多段式の振動吸収の構造に形成されることもできる。また、軽質振動吸収材は予め柱状の単元体に成型されてから、シャフトの内部空間の内部に嵌入し、さらに粘着剤により固定することもできる。また、軽質振動吸収材の柱状の単元体は少なくともシャフトにおけるヘッド側に接近する内部空間の内部に形成されることもできる。また、多種類の軽質振動吸収材を使用した柱状の単元体を同時に嵌設することにより、異なった抵抗の係数による複合振動吸収の効果を提供することもできる。また、軽質振動吸収材の柱状の単元体はそれぞれ異なる材質により製成されることもできる。また、軽質振動吸収材の柱状の単元体はそれぞれ異なった緻密度を有する同じ材質により製成されることもできる。また、複数個の軽質振動吸収材を使用した柱状の単元体を同時に嵌設し、さらに各隣接する二個の軽質振動吸収材の間はそれぞれ区画部材によって相互に区画されることにより、多段式による複合振動吸収の構造が形成されることもできる。
【００１２】
また、本発明によるゴルフクラブシャフトの振動吸収構造は、シャフトおよび複数個の軽質振動吸収材により構成される。シャフトには管周壁と内部空間が設けられる。軽質振動吸収材はシャフトの内部空間の内部に収容されることにより、軽質振動吸収材によりヘッドから生じ、さらにシャフトまで上へ伝送する打球の振動を吸収および阻隔することもできる。
【００１３】
さらに、本発明によるゴルフクラブシャフトの振動吸収構造は、複数個の軽質振動吸収材の間には相互に一段の距離を有するように区画されることもできる。また、複数個の軽質振動吸収材の間には相互に接触するように形成されることもできる。また、複数個の軽質振動吸収材は粘着剤によりシャフトの内部空間の内部に固定されることもできる。また、軽質振動吸収材には他に中空部が形成されることもできる。
【発明の効果】
【００１４】
本発明のゴルフクラブシャフトの振動吸収構造によれば、シャフトの内部には少なくとも一個の軽質振動吸収材が適当に設けられることにより、ヘッドから生じた打球の振動を吸収および阻隔することができるため、振動吸収の効果と握持の快適感を増やすことができるという利点がある。
【００１５】
本発明のゴルフクラブシャフトの振動吸収構造によれば、シャフトの内部には多種類の軽質振動吸収材が設けられることにより、異なる抵抗の係数を提供してヘッドから生じた打球の振動を吸収することができるため、振動吸収の効果と握持の快適感を増やすことができるという利点がある。
【００１６】
本発明のゴルフクラブシャフトの振動吸収構造によれば、シャフトの内部には一個の軽質振動吸収材が設けられ、軽質振動吸収材には中空部が形成され、中空部の内周壁面には複数個の突出点または複数個の凹点が形成されることにより、ヘッドから生じた打球の振動を吸収および分散することができるため、振動吸収の効果と握持の快適感を増やすことができるという利点がある。
【００１７】
本発明のゴルフクラブシャフトの振動吸収構造によれば、シャフトの内部には少なくとも一個の軽質振動吸収材が設けられ、軽質振動吸収材には複数個の当接周壁面と複数個のクッション凹部が形成されることにより、多段式の振動吸収の構造が形成されるため、振動吸収の効果と握持の快適感を増やすことができるという利点がある。
【００１８】
本発明のゴルフクラブシャフトの振動吸収構造によれば、シャフトの内部には複数個の軽質振動吸収材が設けられ、各隣接する二個の軽質振動吸収材の間にはそれぞれ区画部材が挟設されることにより、多段式の振動吸収の構造が形成されるため、振動吸収の効果と握持の快適感を増やすことができるという利点がある。
【発明を実施するための最良の形態】
【００１９】
本発明の実施の形態について、以下、図面を参照して説明する。
【実施例１】
【００２０】
図１、２を参照すると、本発明の実施例１のゴルフクラブシャフトの振動吸収構造にはシャフト１０、ヘッド２０、グリップ３０および軽質振動吸収材４０が含まれる。シャフト１０は長い管状に形成され、シャフト１０の一端はヘッド２０と結合するのに用いられ、ヘッド２０の他端はグリップ３０と結合するのに用いられる。シャフト１０には管周壁１１と内部空間１２が設けられる。管周壁１１は弾性変形係数（Ｃ.Ｏ.Ｒ.）の高い材質により製成されることにより、シャフト１０そのものには高度な可撓性を有するように形成される。例えば、シャフト１０は好ましくは複数層の炭素繊維含浸織物から巻き付けて重畳してなるように形成され、または適当な金属、合金材質により一体成形になるように製成される。内部空間１２は軽質振動吸収材４０を収容するのに用いられる。ヘッド２０は従来のアイアン型ヘッド、ウッド型ヘッドまたはパター型ヘッドのヘッド構造から選択することができ、ヘッド２０はゴルフボールを打球するのに用いられる。グリップ３０はゴムなどの弾性材料により製成されると共に、使用者の手で握持するのに用いられることにより、スイングまたはパターを行うことができる。
【００２１】
再び図１、２を参照すると、本発明の実施例１の軽質振動吸収材４０は好ましくは発泡合成材料（foaming synthetic resin）からなり、他にその他の樹脂材料から選択することができ、例えばゴム、熱可塑性弾性体（thermo-plastic elastomer）、ポリウレタン（PU, polyurethane）、ナイロン（nylon）、ポリプロピレン（polypropylene）、ＡＢＳ樹脂（アクリロニトリルブタジエンスチレン,acrylonitrile-butadiene-styrene）、ポリエチレンテレフタレート（PET, polyethylene terephthalate）、ポリ塩化ビニル（vinyl chloride）またはその他の高分子振動吸収材料から選択することができる。軽質振動吸収材４０は好ましくは射出成型によりシャフト１０の全体の内部空間１２の内部に直接形成する。
【００２２】
再び図１、２を参照すると、本発明のゴルフクラブシャフトを使用して打球を行う時、ヘッド２０がゴルフボールを打球すると、同時に打球の振動が生じる。ヘッド２０の打球の振動がシャフト１０を経て上へ伝送される。打球の振動が上へ伝送する過程において、ヘッド２０とシャフト１０の管周壁１１により一部分の上へ伝送する打球の振動を吸収することができると同時に、軽質振動吸収材４０により残った打球の振動を有効に吸収することができる。これにより、打球の振動がグリップ３０まで伝送するのを有効に避けることができる。また、長時間を掛けて打球を行う使用者にとって、手でグリップ３０を握持しても不快感や痺れが生じるのを避けることができるため、打球の正確度を確保ことができると共に、手を怪我する確率を減らすことができる。
【実施例２】
【００２３】
図３を参照すると、本発明の実施例２のゴルフクラブシャフトの振動吸収構造が掲示される。実施例１と比較すると、実施例２において軽質振動吸収材４０にはさらに中空部４１が形成されることにより、比較的大きい振動吸収の調整の自由度を提供することができる。
【実施例３】
【００２４】
図４を参照すると、本発明の実施例３のゴルフクラブシャフトの振動吸収構造が掲示される。実施例１と比較すると、実施例３においても軽質振動吸収材４０にはさらに中空部４１が形成されることにより、比較的大きい振動吸収の調整の自由度を提供することができる。中空部４１には例えば他にもう一つの軽質振動吸収材４０’が収容され、軽質振動吸収材４０’は異なる材質により製成され、または異なった緻密度を有する同じ材質により製成されることにより、異なった抵抗の係数による複合振動吸収の効果を提供することができる。
【実施例４】
【００２５】
図５を参照すると、本発明の実施例４のゴルフクラブシャフトの振動吸収構造が掲示される。実施例１と比較すると、実施例４においても軽質振動吸収材４０にはさらに中空部４１が形成されることにより、比較的大きい振動吸収の調整の自由度を提供することができる。軽質振動吸収材４０の中空部４１の内周壁面には複数個の突出点４１１または複数個の凹点（図示せず）のどちらかが形成されることにより、打球の振動を分散する振動吸収の効果を提供することができる。
【実施例５】
【００２６】
図６を参照すると、本発明の実施例５のゴルフクラブシャフトの振動吸収構造が掲示される。実施例１と比較すると、実施例５においても軽質振動吸収材４０にはさらに中空部４１が形成されることにより、比較的大きい振動吸収の調整の自由度を提供することができる。軽質振動吸収材４０の中空部４１’の内周壁面には凸凹した変化を有する波紋、ねじ紋のどちらかが形成されることにより、打球の振動を分散する振動吸収の効果を提供することができる。
【実施例６】
【００２７】
図７を参照すると、本発明の実施例６のゴルフクラブシャフトの振動吸収構造が掲示される。実施例１と比較すると、実施例６においては軽質振動吸収材４０は外周壁面において交互に排列して複数個の当接周壁面４２と複数個のクッション凹部４３が形成される。軽質振動吸収材４０は当接周壁面４２を経てシャフト１０の管周壁１１に当接することができると共に、シャフト１０が伝送する打球の振動を吸収することができる。クッション凹部４３は各当接周壁面４２を区画するのに用いられることにより、当接周壁面４２は多段式の振動吸収の構造に形成される。
【実施例７】
【００２８】
図８を参照すると、本発明の実施例７のゴルフクラブシャフトの振動吸収構造が掲示される。実施例１と比較すると、実施例７においては軽質振動吸収材４０は予め柱状の単元体に成型されてから、シャフト１０の内部空間１２の内部に嵌入し、さらに粘着剤により適当な位置に固定することができる。軽質振動吸収材４０の柱状の単元体は少なくともシャフト１０におけるヘッド２０側に接近する内部空間１２の内部に形成されることにより、シャフト１０がヘッド２０の打球の振動を接収する初期において、直ちに打球の振動を吸収することができる。
【実施例８】
【００２９】
図９を参照すると、本発明の実施例８のゴルフクラブシャフトの振動吸収構造が掲示される。実施例１と比較すると、実施例８においても軽質振動吸収材４０は予め柱状の単元体に成型されてから、シャフト１０の内部空間１２の内部に嵌入し、さらに粘着剤により適当な位置に固定することができる。軽質振動吸収材４０の柱状の単元体は少なくともシャフト１０におけるヘッド２０側に接近する内部空間１２の内部に形成されることにより、シャフト１０がヘッド２０の打球の振動を接収する初期において、直ちに打球の振動を吸収することができる。本実施例においては、複数個の軽質振動吸収材４０ａ、４０ｂ、４０ｃ、４０ｄ、４０ｅを使用した柱状の単元体を同時に嵌設することができ、軽質振動吸収材４０ａ、４０ｂ、４０ｃ、４０ｄ、４０ｅの柱状の単元体はそれぞれ異なる材質により製成され、または異なった緻密度を有する同じ材質により製成されることにより、異なった抵抗の係数による複合振動吸収の効果を提供することができる。シャフト１０には下から上へ排列するように抵抗係数の低、中、高、中、低（または高、中、低、中、高）の軽質振動吸収材４０ｃ、４０ｄ、４０ａ、４０ｂ、４０ｃ（または４０ａ、４０ｂ、４０ｃ、４０ｂ、４０ａ）が設けられる。
【実施例９】
【００３０】
図１０を参照すると、本発明の実施例９のゴルフクラブシャフトの振動吸収構造が掲示される。実施例１と比較すると、実施例９においても軽質振動吸収材４０は予め柱状の単元体に成型されてから、シャフト１０の内部空間１２の内部に嵌入し、さらに粘着剤により適当な位置に固定することができる。軽質振動吸収材４０の柱状の単元体は少なくともシャフト１０におけるヘッド２０側に接近する内部空間１２の内部に形成されることにより、シャフト１０がヘッド２０の打球の振動を接収する初期において、直ちに打球の振動を吸収することができる。また、本実施例においても、複数個の軽質振動吸収材４０ａ、４０ｂ、４０ｃ、４０ｄ、４０ｅを使用した柱状の単元体を同時に嵌設することができ、軽質振動吸収材４０ａ、４０ｂ、４０ｃ、４０ｄ、４０ｅの柱状の単元体はそれぞれ異なる材質により製成され、または異なった緻密度を有する同じ材質により製成されることにより、異なった抵抗の係数による複合振動吸収の効果を提供することができる。シャフト１０には下から上へ排列するように抵抗係数の低、中、高（または高、中、低）の軽質振動吸収材４０ｅ、４０ｄ、４０ｃ、４０ｂ、４０ａ（または４０ａ、４０ｂ、４０ｃ、４０ｄ、４０ｅ）が設けられる。または、異なる排列により適当な複合の振動吸収の効果を提供することができる。
【実施例１０】
【００３１】
図１１を参照すると、本発明の実施例１０のゴルフクラブシャフトの振動吸収構造が掲示される。実施例７と比較すると、実施例１０においても同様に複数個の軽質振動吸収材４０ａ、４０ｂ、４０ｃの柱状の単元体が使用され、また異なる材質により製成され、或いは異なった緻密度を有する同じ材質により製成される。複数個の軽質振動吸収材４０ａ、４０ｂ、４０ｃの間には相互に一段の距離を有するように区画され、さらに粘着剤（図示せず）によりシャフト１０の内部空間１２の内部に固定される。
【実施例１１】
【００３２】
図１２を参照すると、本発明の実施例１１のゴルフクラブシャフトの振動吸収構造が掲示される。実施例７と比較すると、実施例１１においてもまた同様に複数個の軽質振動吸収材４０ａ、４０ｂ、４０ｃの柱状の単元体が使用され、また異なる材質により製成され、或いは異なった緻密度を有する同じ材質により製成される。本発明の実施例１１において各隣接する二個の軽質振動吸収材４０ａ、４０ｂ、４０ｃの間にはそれぞれ区画部材５０により互いに区画されることにより、多段式による複合振動吸収の構造が形成される。また、各軽質振動吸収材４０ａ、４０ｂ、４０ｃの柱状の単元体も適当に図３から図７に示すような異なった振動吸収の構造を選択して設けることができ、例えば中空部４１が形成されたり、中空部４１において異なる軽質振動吸収材４０’を収容するように形成されたり、または中空部４１の内周壁面において突出点４１１が形成されたりすることにより、打球の振動を分散することができるため、振動吸収の効果を高めるのに役立つことができる。
【産業上の利用可能性】
【００３３】
上述の如く、図１３に示す従来のゴルフクラブシャフトの構造によれば、シャフト１０は管周壁１１そのものによりヘッド２０から上へ伝送する打球の振動しか吸収することができないという問題点があったが、図１に示す本発明のゴルフクラブシャフトの振動吸収構造によれば、シャフト１０の内部空間１２において軽質振動吸収材４０を収容することにより、確実にヘッド２０から生じた打球の振動を有効に吸収することができるため、確実に振動吸収の効果と握持の快適感を相対的に増やすことができる。
【００３４】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３５】
【図１】本発明の実施例１のゴルフクラブシャフトの振動吸収構造における組み立てられた状態を示す分解斜視図と局部断面図である。
【図２】本発明の実施例１のゴルフクラブシャフトの振動吸収構造における局部の断面図である。
【図３】本発明の実施例２のゴルフクラブシャフトの振動吸収構造における局部の断面図である。
【図４】本発明の実施例３のゴルフクラブシャフトの振動吸収構造における局部の断面図である。
【図５】本発明の実施例４のゴルフクラブシャフトの振動吸収構造における局部の断面図である。
【図６】本発明の実施例５のゴルフクラブシャフトの振動吸収構造における局部の断面図である。
【図７】本発明の実施例６のゴルフクラブシャフトの振動吸収構造における局部の断面図である。
【図８】本発明の実施例７のゴルフクラブシャフトの振動吸収構造における局部の断面図である。
【図９】本発明の実施例８のゴルフクラブシャフトの振動吸収構造における局部の断面図である。
【図１０】本発明の実施例９のゴルフクラブシャフトの振動吸収構造における局部の断面図である。
【図１１】本発明の実施例１０のゴルフクラブシャフトの振動吸収構造における局部の断面図である。
【図１２】本発明の実施例１１のゴルフクラブシャフトの振動吸収構造における局部の断面図である。
【図１３】従来のゴルフクラブシャフトの振動吸収構造における組み立てられた状態を示す分解斜視図と局部断面図である。
【符号の説明】
【００３６】
１０    シャフト                        １１    管周壁
１２    内部空間                        ２０    ヘッド
３０    グリップ                        ４０    軽質振動吸収材
４０’    軽質振動吸収材                ４０ａ    軽質振動吸収材
４０ｂ    軽質振動吸収材                ４０ｃ    軽質振動吸収材
４０ｄ    軽質振動吸収材                ４０ｅ    軽質振動吸収材
４１    中空部                          ４１’    中空部
４１１    突出点                          ４２    抵接周壁面
４３    クッション凹部                  ５０    区画部材
【図１】
2006223678.tif 000003
【図２】
2006223678.tif 000004
【図３】
2006223678.tif 000005
【図４】
2006223678.tif 000006
【図５】
2006223678.tif 000007
【図６】
2006223678.tif 000008
【図７】
2006223678.tif 000009
【図８】
2006223678.tif 000010
【図９】
2006223678.tif 000011
【図１０】
2006223678.tif 000012
【図１１】
2006223678.tif 000013
【図１２】
2006223678.tif 000014
【図１３】
2006223678.tif 000015